(57)【特許請求の範囲】
【請求項１】
固定体(１)と回転体(２)を対向させて具え、回転体(２)に複数の孔(20)又は凹部を設け、固定体(１)に該孔(20)又は凹部に向けて弾性付勢される突部(10)を複数設け、
回転体(２)上にて、孔(20)又は凹部は３６０／ｎ度(ｎは整数)である主角度θ１毎に設けられ、
固定体(１)上にて、突部(10)は(３６０＋３６０／ｎ)／ｎ度のｎ未満の整数倍である副角度θ２毎に形成され、
１の孔(20)又は凹部に１の突部(10)が嵌まった状態で、該突部(10)とは回転体(２)の回転側に隣り合う突部(10)は、次に嵌まるべき孔(20)又は凹部とは、副角度θ２と、該突部(10)の最寄りの孔(20)の角度位置との差だけ、回転体(２)の回転側に離間していることを特徴とする回転体のロック機構。
【請求項２】
１の孔(20)又は凹部に１の突部(10)が嵌まった状態で、該突部(10)とは回転体(２)の回転側に隣り合う突部(10)の最寄りの孔(20)の角度位置は、主角度θ１の整数倍の値である、請求項１に記載の回転体のロック機構。
【請求項３】
固定体(１)と回転体(２)を対向させて具え、固定体(１)に複数の孔(20)又は凹部を設け、回転体(２)に該孔(20)又は凹部に向けて弾性付勢される突部(10)を複数設け、
回転体(２)上にて、突部(10)は３６０／ｎ度(ｎは整数)である主角度θ１毎に設けられ、
固定体(１)上にて、孔(20)又は凹部は(３６０＋３６０／ｎ)／ｎ度のｎ未満の整数倍である副角度θ２毎に形成され、
１の孔(20)又は凹部に１の突部(10)が嵌まった状態で、該孔(20)又は凹部とは回転体(２)の回転側に隣り合う孔(20)又は凹部は、次に嵌まるべき突部(10)とは、副角度θ２と、該孔(20)又は凹部の最寄りの突部(10)の角度位置との差だけ、回転体(２)の回転側に離間していることを特徴とする回転体のロック機構。
【請求項４】
電気機器を回転可能に保持する支え片(43)と、該支え片(43)を回転可能に保持する保持片(42)を少なくとも具え、保持片(42)上にて支え片(43)の回転中心部に、請求項１乃至３の何れかに記載のロック機構を用いた電気機器の支持具。
【発明の詳細な説明】
【技術分野】
【０００１】
本発明は、回転体のロック機構及び該ロック機構を用いた電気機器の支持具、具体的には撮影すべき地点に応じて回転角度を微調整できる監視用カメラ用の支持具に関する。
【背景技術】
【０００２】
回転体の回転位置に応じて、回転体をロック、即ち軟係止させる機構として、図７に示すものがある(例えば、特許文献１参照)。これは、板状の回転体(２)に固定体(１)を対向させ、回転体(２)上に凹部(25)を、固定体(１)の下面に凹部(25)に嵌まる球状の突部(10)を設けている。突部(10)は凹部(25)に向けてバネ(15)付勢され、凹部(25)及び突部(10)は、回転体(２)をロックさせるべき回転位置に応じて複数設けられている。回転体(２)が回転して、突部(10)が凹部(25)に嵌まることにより、回転体(２)は所望の回転位置にてロックされる。
また、これ以外にも、所定の回転位置にて、ネジによって回転体(２)と固定体(１)をロックさせる構造、波状のワッシャを回転体(２)又は固定体(１)に当て、該ワッシャのバネ力にて回転体(２)と固定体(１)をロックさせる構造も周知である。
【０００３】
【特許文献１】特開平９−２２０１９３号公報
【発明の開示】
【発明が解決しようとする課題】
【０００４】
回転体(２)によっては、微少の回転角毎にロックさせたいものがある。図７に示す従来のロック機構では、回転体(２)を微少の回転角毎にロックさせるには、微少回転角度毎に凹部(25)及び突部(10)を設ける必要があり、これでは回転体(２)又は固定体(１)の強度が弱くなる。また、突部(10)を数多く設けると、固定体(１)の製作に手間が掛かり、コスト上昇をも招来する。
また、ネジによって回転体(２)と固定体(１)をロックさせる構造では、回転角度を微調整するのに時間が掛かる。ワッシャのバネ力にて回転体(２)と固定体(１)をロックさせる構造では、振動や衝撃を受けた際に回転体(２)の回転位置がズレ易い。
本発明の目的は、簡素な構成で、回転体を微少角度毎に確実にロックさせることにある。
【課題を解決するための手段】
【０００５】
固定体(１)と回転体(２)を対向させて具え、回転体(２)に複数の孔(20)又は凹部を設け、固定体(１)に該孔(20)又は凹部に向けて弾性付勢される突部(10)を複数設け、
回転体(２)上にて、孔(20)又は凹部は３６０／ｎ度(ｎは整数)である主角度θ１毎に設けられ、
固定体(１)上にて、突部(10)は(３６０＋３６０／ｎ)／ｎ度のｎ未満の整数倍である副角度θ２毎に形成され、
１の孔(20)又は凹部に１の突部(10)が嵌まった状態で、該突部(10)とは回転体(２)の回転側に隣り合う突部(10)は、次に嵌まるべき孔(20)又は凹部とは、副角度θ２と、該突部(10)の最寄りの孔(20)の角度位置との差だけ、回転体(２)の回転側に離間している。
【発明の効果】
【０００６】
仮にｎ＝３０とすると、主角度θ１は１２度であり、副角度θ２は１２.４度の３０未満の整数倍の値である。ここで、説明の便宜上、副角度θ２を１２.４度の５倍である６２度とする。１の孔(20)又は凹部に１の突部(10)が嵌まった状態を基準である０度とすると、該突部(10)とは回転体(２)の回転側に隣り合う突部(10)は、１の突部(10)とは６２度離れている。隣り合う突部(10)の最寄りの孔(20)の角度位置は、主角度θ１の倍数である６０度である。即ち、１の孔(20)又は凹部に１の突部(10)が嵌まった状態で、該突部(10)とは回転体(２)の回転側に隣り合う突部(10)は、最寄りの孔(20)とは２度だけ回転体(２)の回転側に離れている。この２度の差が、回転体(２)を微調整する角度となり、回転体(２)を２度回転させれば、次の突部(10)が孔(20)又は凹部に嵌まる。
即ち、回転体(２)の孔(20)の角度間隔である主角度θ１の整数倍と、固定体(１)の突部(10)の角度間隔であるθ２をズラす簡素な構成で、回転体(２)を微少角度毎に確実にロックさせることができる。これにより、回転体(２)を微少角度毎に容易且つ確実に位置決めすることができる。
【発明を実施するための最良の形態】
【０００７】
以下、本発明の一実施例を図を用いて詳述する。
図１(a)は、本例のロック機構を用いた電気機器の支持具の正面図であり、具体的には監視用カメラの支持具(４)を指す。図１(b)は、図１(a)の左側面図である。支持具(４)は天井(44)から吊設されて監視用カメラ(５)を支持するものであり、天井(44)に取り付けられる取付片(40)と、該取付片(40)に水平方向に回転可能(図１(a)のＡ方向)に支持されたブラケット(41)と、該ブラケット(41)に上下方向(図１(a)のＢ方向)に回転可能に設けられた保持片(42)と、該保持片(42)の先端部に上下回転可能(図１(b)のＣ方向)に設けられた支え片(43)を具える。ブラケット(41)、保持片(42)、支え片(43)は撮影すべき場所に応じて、使用者が手動で回転調整するものであり、後記の如く、監視用カメラ(５)が所望の回転位置でロックされると、使用者は手にクリック感を感じる。
【０００８】
保持片(42)と支え片(43)は互いに直交した水平軸Ｌ１、Ｌ２を中心として回転し、支え片(43)に監視用カメラ(５)が取り付けられる。ブラケット(41)により、監視用カメラ(５)を水平方向に回転させることができ、所謂パン機能を発揮できる。保持片(42)を上下にＢ方向に回転させれば、支え片(43)も同方向に回転する。また、支え片(43)のみをＣ方向に上下回転させることもできる。これにより、垂直方向の回転である所謂チルト機能を発揮できる。即ち、支持具(４)は３方向に監視用カメラ(５)を回転させることができる。
取付片(40)とブラケット(41)、ブラケット(41)と保持片(42)、保持片(42)と支え片(43)との間には、夫々微少角度毎にロックする回転ロックユニット(３)が配備され、本例ではこの回転ロックユニット(３)に特徴がある。
【０００９】
図２は、監視用カメラ(５)の内部の概略図である。周知の如く、監視用カメラ(５)は内部に被写体(52)画像を受像するＣＣＤ(50)と、該被写体(52)画像をＣＣＤ(50)に合焦させるレンズ(51)とを具えている。ＣＣＤ(50)にて受像できる被写体(52)の角度範囲φを画角と呼び、出願人は監視用カメラ(５)の画角として、２０度を想定している。従って、監視用カメラ(５)を画角に対して十分小さな角度毎、具体的には２度毎に回転位置をロックさせることを着想した。勿論、２０度の画角は例示であって、画角は２０度に限定されない。また、ロックさせるべき微少角度のピッチも２度に限定されず、画角に応じて決定される。
【００１０】
図３(a)は、回転ロックユニット(３)の分解図である。回転ロックユニット(３)は金属板を打抜き加工して形成された回転体(２)と、金属板から形成され該回転体(２)に対向する固定体(１)を重ねて具える。回転体(２)は回転される側に繋がり、例えば取付片(40)とブラケット(41)との間では、回転体(２)はブラケット(41)に繋がる。固定体(１)は取付片(40)に繋がる。
回転体(２)上には周方向に沿って、ｎ個の丸い孔(20)が等間隔に開設されている。図３(a)では、孔(20)の数ｎ＝３０であり、孔(20)の角度間隔は１２度である。この孔(20)が開設されている角度間隔(角度ピッチ)を主角度θ１とする。
尚、ｎの値は３０に限定されず、整数で有ればよいが、ｎが３６０の約数でなければ、３６０／ｎが整数と成らず、３６０／ｎ度毎に孔(20)を形成することが煩雑になると考えられる。また、ｎが大きな数では、実際に回転体(２)上にｎケの孔(20)を開設することが、回転体(２)の強度上困難であり、ｎは孔(20)を開設することが実際に可能な数に基づいて決定される。
【００１１】
図３(b)は、固定体(１)の右側面図である。固定体(１)上には、孔(20)に嵌まるべき複数の突部(10)が周方向に沿って形成されている。固定体(１)は金属板であるから、突部(10)が孔(20)の周縁部上に接しているときは、突部(10)は弾性力を持って固定体(１)に接しており、突部(10)が孔(20)に対向すると、弾性力により、孔(20)に嵌まる。これにより、回転体(２)は固定体(１)にロックされ、監視用カメラの支持具(４)を扱う使用者はクリック感を感じて、回転体(２)がロックされたことが判る。
孔(20)が３０ケ形成されているのに対し、突部(10)は６つ形成されている。このうち、５つの突部(10)は等角度毎に設けられ、この突部(10)の角度間隔を副角度θ２とする。
【００１２】
副角度θ２は、以下の如く設けられる。まず、仮想角θ３としてθ３＝(３６０＋３６０／ｎ)／ｎ度を演算する。ここで、前記の如く、ｎ＝３０とすると、θ３＝１２.４度となる。この仮想角θ３毎に突部(10)を形成すると、１の孔(20)に突部(10)が嵌まった場合には、隣の孔(20)と突部(10)は１２.４−１２＝０.４度ずれている。即ち、１の孔(20)に突部(10)が嵌まった状態から、回転体(２)を０.４度回転させれば、隣の孔(20)と突部(10)が嵌まって、回転体(２)はロックされる。
然るに、出願人は前記の如く、２度毎にロックさせることを想定しており、突部(10)の角度間隔θ２を、仮想角θ３の整数ｍ倍、具体的には２／０.４＝５倍とした。従って、突部(10)の角度間隔である副角度θ２は１２.４×５＝６２度となる。この整数ｍも５に限定されないが、ｎ＝ｍであると、突部(10)の副角度θ２が３６０度を越えるから、ｍはｎ未満でなければならない。
【００１３】
このようにして、５つの突部(10)は６２度の角度間隔θ２で設けられる。以下に、本例の回転ロックユニット(３)の動作を説明する。
図４は、孔(20)と突部(10)の位置関係を示す概略平面図であり、図５は、孔(20)と突部(10)の角度ズレの説明図である。固定体(１)上の突部(10)に説明の便宜上[１]から[６]までの番号を付し、[１]の角度を基準である０度とする。図５に示す角度は、[１]の突部(10)から反時計方向(図４のＤ方向)に廻る角度を示す。
突部(10)は６２度毎に形成されているから、各突部(10)に最寄りの孔(20)は６０度毎に開設された孔(20)であり、図４には６０度毎に開設された孔(20)を示す。図４に示す孔(20)の角度ピッチは、主角度θ１の整数倍、具体的には５倍である。
当初[１]の突部(10)が孔(20)に嵌まっているとする。この状態では、図５の(１)に示すように、[１]の突部(10)とは回転体(２)の回転側で隣り合う[２]の突部(10)は、嵌まるべき孔(20)と２度だけ、回転体(２)の回転側にズレている。[３]の突部(10)は嵌まるべき孔(20)と４度ズレ、以下順にして[６]の突部(10)は嵌まるべき孔(20)と回転体(２)の回転側に１０度ズレている。
【００１４】
この状態から、回転体(２)を反時計方向に２度回転させると、図５の(２)に示すように、[２]の突部(10)が孔(20)に嵌まる。[３]の突部(10)は嵌まるべき孔(20)と２度ズレ、[４]の突部(10)は嵌まるべき孔(20)と４度ズレ、以下順にして[６]の突部(10)は嵌まるべき孔(20)と８度ズレている。
このようにして、回転体(２)を２度ずつ順に回転させると、使用者はその都度クリック感を感じて、回転角度の微調整ができる。回転体(２)が当初の状態から１０度回転して[６]の突部(10)が孔(20)に嵌まった状態から、更に回転体(２)を２度回転させると、回転体(２)は図５の(１)に示す状態から１２度回転することになる。図３(a)に示す如く、孔(20)は１２度間隔で開設されているから、[１]の突部(10)は隣の孔(20)に嵌まり、以下同様の回転動作を繰り返す。
【００１５】
本例にあっては、回転体(２)の孔(20)の角度間隔である主角度θ１の整数倍と、固定体(１)の突部(10)の角度間隔であるθ２をズラす簡素な構成で、回転体(２)を微少角度毎に確実にロックさせることができた。これにより、監視用カメラ(５)を微少角度毎に位置決めすることができ、画角に応じた回転位置調整が容易にできる。また、突部(10)を孔(20)に嵌めてロックする構成であるから、外部から衝撃が加わっても回転角度がズレる虞れはない。
【００１６】
上記例にあっては、回転体(２)に孔(20)を開設し、固定体(１)に突部(10)を設けたが、これに代えて、図６に示すように、回転体(２)に突部(10)を設け、固定体(１)に孔(20)を開設してもよい。この場合、回転体(２)の突部(10)は、主角度θ１ごとに設けられ、図６では、図示の便宜上、主角度θ１の整数倍の角度位置である６０度毎の突部(10)を示す。固定体(１)の孔(20)は、副角度θ２である６２度毎に設けられる。また、孔(20)に代えて、突部(10)が嵌まる凹部(図示せず)でもよい。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１８】
【図１】(a)は、監視用カメラの支持具の正面図であり、(b)は、(a)の左側面図である。
【図２】監視用カメラの内部の概略図である。
【図３】(a)は、回転ロックユニットの分解図であり、(b)は固定体の右側面図である。
【図４】孔と突部の位置関係を示す概略平面図である。
【図５】孔と突部の角度ズレの説明図である。
【図６】別の実施例に於ける孔と突部の位置関係を示す概略平面図である。
【図７】従来のロック機構の断面図である。
【符号の説明】
【００１９】
(１)  固定体
(２)  回転体
(10)  突部
(20)  孔
(42)  保持片
(43)  支え片
【図１】
0004566126.tif 000002
【図２】
0004566126.tif 000003
【図３】
0004566126.tif 000004
【図４】
0004566126.tif 000005
【図５】
0004566126.tif 000006
【図６】
0004566126.tif 000007
【図７】
0004566126.tif 000008